(57)【要約】【課題】  騒音を増大させることなく温風と冷風を供給して、寝心地の良い温風機能付き寝具を供給する。【解決手段】  布団本体と、この布団本体内に収納され、一端に挿入口６を有し通気性を有する収納袋と、この収納袋内に収納される通気性を有する立体格子空間材と、前記挿入口６に連結管２１を介して前記収納袋５内に送風する温風ユニット８とを有し、前記温風ユニット８は、外気を吸気して送風する送風ファン１２と、この送風ファン１２の第一風路１４に設けたヒータ１３と、このヒータ１３を設けた第一風路１４を迂回するように設けた第二風路１６と、この第二風路１６の空気の流れを制御するダンパ１７を備えた。【選択図】図３
2008136635.tif 000002
【特許請求の範囲】
【請求項１】
布団本体と、この布団本体内に収納され、一端に挿入口を有し通気性を有する収納袋と、この収納袋内に収納される通気性を有する立体格子空間材と、前記挿入口に連結管を介して前記収納袋内に送風する温風ユニットとを有し、前記温風ユニットは、外気を吸気して送風する送風ファンと、この送風ファンの第一風路に設けたヒータと、このヒータを設けた第一風路を迂回するように設けた第二風路と、この第二風路の空気の流れを制御するダンパを備えたことを特徴とする温風機能付き寝具。
【発明の詳細な説明】
【技術分野】
【０００１】
本発明は、温風を供給することにより寝具の暖めができ、かつ、冷風を供給することにより寝具の除湿ができる温風機能付き寝具に関するものである。
【背景技術】
【０００２】
従来の温風機能付き寝具は、人が仰臥しても潰れて空気層がなくなることが無い程度の強度を有する立体格子空間材を収納し、上面側に開口部を有する収納袋とで構成された空間材ユニットと、この空間材ユニット上にマットレスが載せられ、空間材ユニットとマットレスとを袋状のカバーで覆った布団本体と、前記収納袋内に外部より空気を送風するために設けられた挿入口と、送風流路にヒータを設け送風機により温風や冷風を送風する温風ユニットと、この温風ユニットと前記挿入口を接続する連結管とを備えている。
【０００３】
温風ユニットから連結管を介して収納袋内に送風された温風又は冷風は、立体格子空間材の連通している空気層により収納袋内に行き渡らされ、収納袋上面の開口部を通ってマットレスと収納袋上面の隙間を通してカバー内に放出され、カバーの生地を通して布団本体の上に掛けられた掛け布団等に熱を伝達させたり、熱を放熱させたりすることができる。
【０００４】
したがって、冬場の寒い時期に、寝具を温めることができ、就寝時に暖かく就寝することができる。また、夏場など、寝汗をかく時期には冷風を送風することにより、寝具内の湿気や熱を寝具外に放出してさわやかに就寝することができる(例えば、特許文献１参照)。
【０００５】
【特許文献１】特開２００５−２１１３７０号公報
【発明の開示】
【発明が解決しようとする課題】
【０００６】
しかしながら、上記の従来技術において、布団を暖めるのに最適な温度と送風量を設定すると、夏場などで布団を除湿したり冷却する場合には、送風機の送風流路に設けたヒータの空気抵抗により送風される風量が低下してしまうため、除湿効果が低下するという問題点があった。
【０００７】
また、除湿効果を低下させないため送風機の回転数を上げて風量を多くしようとすると、騒音が増大してしまい、就寝時に使用するには難があるものとなっていた。
【課題を解決するための手段】
【０００８】
本発明は上記の問題を解決するためになされたものであり、布団本体と、この布団本体内に収納され、一端に挿入口を有し通気性を有する収納袋と、この収納袋内に収納される通気性を有する立体格子空間材と、前記挿入口に連結管を介して前記収納袋内に送風する温風ユニットとを有し、前記温風ユニットは、外気を吸気して送風する送風ファンと、この送風ファンの第一風路に設けたヒータと、このヒータを設けた第一風路を迂回するように設けた第二風路と、この第二風路の空気の流れを制御するダンパを備えたものである。
【発明の効果】
【０００９】
本発明の温風機能付き寝具は、上記のように構成したことにより、夏場など寝汗をかく時期には、寝具内の湿気や熱を寝具外に放出するために風量増加させても騒音の増大を招くことがなく、さわやかに就寝することができる。
【００１０】
また、冬場など寒い時期には、適度な温風を寝具内に送風して就寝中も寝具を暖め、騒音に邪魔されること無く暖かく就寝することができる。
【発明を実施するための最良の形態】
【００１１】
以下、本発明の実施例を図１〜図５を参照して説明する。図１は本発明の温風機能付き寝具の外観斜視図、図２は寝具本体を説明する縦断面図、図３は温風ユニットの冷風を送風する動作を説明する縦断面図、図４は温風ユニットの温風を送風する動作を説明する縦断面図、図５は制御基板を説明する図である。
【００１２】
布団本体１は、袋状に構成されたカバー２と、このカバー２の内部に収納されたマットレス３と、このマットレス３の上に載せられた空間材ユニット７から構成されている。カバー２は、通気性の有る生地で構成されており、側面にファスナー（図示せず）が設けられ、このファスナーを開いてカバー２内にマットレス３と空間材ユニット７を入れた後、閉じて収納する。
【００１３】
マットレス３は、ウレタン等の材料を用い適度な堅さを持ち、この上に人が仰臥したとき寝心地が良いものである。
【００１４】
空間材ユニット７は、一端に挿入口６を有した収納袋５と、この収納袋５に収納された立体格子空間材４とで構成されている。
【００１５】
立体格子空間材４は、プラスチック製の糸を多数編み込んで構成してあり、これにより連通した空気層が形成され空気が流通することができる通気性を有し、この上に人が仰臥してもつぶれて空気層が無くなることがない程度の強度を有している。
【００１６】
収納袋５は、非通気または通気しにくい生地等で作られており、上面側の収納袋上面
５ａの一部には、通気し易い開口部（図示せず）が設けられている。そして、この開口部は全く生地が無い開口部でも良いし、通気性のある別の生地が縫われている構成でも良い。
【００１７】
挿入口６は、外部より収納袋５内に送風するために収納袋５に設けられていて、カバー２に開けられた開口２ａを通して外部に臨ませている。
【００１８】
温風ユニット８は、空気の吸い込み口９及びフイルター１０を介して室内の空気を吸気する。吸気した空気１１は、送風ファン１２により第一風路１４に設けたヒータ１３を通過するものと、第一風路１４を迂回するように設けられたヒータ１３の上下に設けられた開口部１５による第二風路１６を通過する空気とに分かれ、その後これらが合流して連結管２１に供給される。
【００１９】
開口部１５を通る第二風路１６にはダンパ１７が設けられており、支点１７ａを中心に回転自在に構成されている。支点１７ａにはステッピングモータ１９が接続されていて、このステッピングモータ１９を後記する制御基板２０で制御することにより回転位置が決定され、第二風路１６を流れる空気の量が制御される。
【００２０】
第一風路１４のヒータ１３の風下側には温度センサであるサーミスタ１８が設けられている。このサーミスタ１８によりヒータ１３で暖められた温風の温度を検出している。
【００２１】
制御基板２０は、温風ユニット８内部に備えられ、送風ファン１２やステッピングモータ１９，ヒータ１３を制御出力としている、入力信号は温風ユニット８の表面に設けられた操作部（図示せず）からの操作入力と、サーミスタ１８からの検知温度を入力している。制御基板２０は、これらの入力信号により、送風ファン１２のオン／オフや、ステッピングモータ１９の動作を制御してダンパ１７の回転位置を制御する。また、サーミスタ
１８からの検知温度を入力して第一風路１４の温風温度が所定温度となるようにヒータ
１３の通電を制御する。
【００２２】
次に、以上の構成による作用を説明する。
【００２３】
冬場の寒い時期に寝具を温めようとする場合は、操作入力から制御基板２０によりステッピングモータ１９を動作させてダンパ１７を回転させ、図４に示すようにヒータ１３の上下の第二風路１６を閉鎖する。
【００２４】
次に、送風ファン１２とヒータ１３が通電され、送風ファン１２により吸い込まれた空気１１は、第一風路１４のヒータ１３を通し、ヒータ１３により暖められ温風は、サーミスタ１８により温風温度が検知され、制御基板２０により所定温度となるようにヒータ
１３の通電を制御して、所定温度となった温風を連結管２１を介し挿入口６を通して空間材ユニット７内に送風する。
【００２５】
空間材ユニット７に送風された温風は、立体格子空間材４の連通している空気層を介し収納袋５内に行き渡らされ、収納袋上面５ａの開口部と、マットレス３と収納袋上面５ａの隙間を通してカバー２内に放出され、カバー２の生地を通して布団本体１及び布団本体１の上に掛けられた掛け布団等に熱を伝達させて、寝具を温めて、就寝時に暖かく就寝することができる。
【００２６】
なお、布団本体１に送風する温風の温度を可変する場合、ヒータ１３の通電率を制御すれば良いが、そうではなく、ヒータ１３の通電は一定とし、第一風路１４を通過する空気をダンパ１７を回転させて調節し、ヒータ１３を通過して暖められた温風に混ぜ込むことにより連結管２１に供給する温風の温度を可変するようにしても良い。そうすれば、制御基板２０の制御が簡単になり、低コスト化が計れる。
【００２７】
夏場の暑い時期に寝具の熱気や湿気を取る場合は、操作入力から制御基板２０によりステッピングモータ１９を動作させてダンパ１７を回転させ、図３に示すようにヒータ１３の上下の第二風路１６を開放する。
【００２８】
次に、送風ファン１２が通電され、送風ファン１２により吸い込まれた空気１１は、第一風路１４のヒータ１３を通る空気と、開口部１５の第二風路１６を通る空気が合わさって連結管２１に供給され、連結管２１を介し挿入口６を通して空間材ユニット７内に冷風を送風する。
【００２９】
空間材ユニット７に送風された冷風は、立体格子空間材４の連通している空気層を介し収納袋５内に行き渡らされ、収納袋上面５ａの開口部と、マットレス３と収納袋上面５ａの隙間を通してカバー２内に放出され、カバー２の生地を通して布団本体１内の湿気や熱を寝具本体１外に放出されるのでさわやかに就寝することができる。この時ヒータ１３の上下の第一風路は開放されているので、連結管２１に供給される風量を多く流せるため布団本体１を効果的に冷やすことができるとともに、布団本体１内の湿気を短時間に除湿することができる。
【００３０】
また、風量を多く流すために送風ファン１２の回転数を上げなくても済むので騒音の発生を低く抑えることができ、就寝時に騒音に悩まされることがない。
【００３１】
なお、寝具本体１を過度に冷却しないようにするためには、第一風路１４を通過する空気をダンパ１７を回転させて調節し、連結管２１に供給する冷風の送風量を調節すれば良い。そうすれば、制御基板２０の制御が簡単になり、低コスト化が計れる。
【図面の簡単な説明】
【００３２】
【図１】本発明の送風機能付き寝具の外観斜視図である。
【図２】寝具本体を説明する縦断面図である。
【図３】温風ユニットの冷風を送風する動作を説明する縦断面図である。
【図４】温風ユニットの温風を送風する動作を説明する縦断面図である。
【図５】制御基板を説明する図である。
【符号の説明】
【００３３】
１  布団本体
４  立体格子空間材
５  収納袋
６  挿入口
８  温風ユニット
１２  送風ファン
１３  ヒータ
１４  第一風路
１６  第二風路
１７  ダンパ
２１  連結管
【図１】
2008136635.tif 000003
【図２】
2008136635.tif 000004
【図３】
2008136635.tif 000005
【図４】
2008136635.tif 000006
【図５】
2008136635.tif 000007